(57)【要約】【課題】ＤｉｖＸ形式のコンテンツデータの再生時に外部字幕を表示させるように設定した場合に、複数の外部字幕ファイルから１つの外部字幕ファイルを選択する手間を軽減することができるＤｉｖＸプレーヤ及びコンテンツ再生装置を提供する。【解決手段】ＤｉｖＸプレーヤ１は、コンテンツデータの再生時に外部字幕を表示させるように設定したときに、ＣＤ１５にコンテンツデータと複数の外部字幕ファイルとが記録されていると、字幕の言語、ファイル容量、ファイルの更新日、またはファイル名の少なくともいずれかの選択条件に基づいて外部字幕ファイルを選択する。したがって、ユーザが外部字幕ファイルの内容を確認して選択することなく容易に、最適な外部字幕ファイルを画面上に表示させることができる。【選択図】図２
2007324668.tif 000002
【特許請求の範囲】
【請求項１】
圧縮して記録された映像データを含むコンテンツファイル、及び前記映像データに対応し、編集可能な字幕データを有する外部字幕ファイルを光ディスクから読み出す再生手段と、
前記コンテンツファイルを伸張する伸張手段と、
前記外部字幕ファイルの字幕を、前記伸張手段により伸張された映像データの映像に重ね合わせた合成画像を生成する合成画像生成手段と、を備えたＤｉｖＸ（登録商標）プレーヤにおいて、
外部字幕ファイルの選択条件を記憶する記憶手段と、
前記記憶媒体に外部字幕ファイルが複数記録されている場合には、前記記憶手段が記憶する字幕の言語、ファイル容量、ファイルの更新日、またはファイル名の少なくともいずれかの選択条件に基づいて外部字幕ファイルを選択する選択手段と、
を備えたことを特徴とするＤｉｖＸプレーヤ。
【請求項２】
圧縮して記録された映像データを含むコンテンツファイル、及び前記映像データに対応し、編集可能な字幕データを有する外部字幕ファイルを記録媒体から読み出す再生手段と、
前記コンテンツファイルを伸張する伸張手段と、
前記外部字幕ファイルの字幕を、前記伸張手段により伸張された映像データの映像に重ね合わせた合成画像を生成する合成画像生成手段と、を備えたコンテンツ再生装置において、
外部字幕ファイルの選択条件を記憶する記憶手段と、
前記記憶媒体に外部字幕ファイルが複数記録されている場合には、前記記憶手段が記憶する選択条件に基づいて外部ファイルを選択する選択手段と、
を備えたことを特徴とするコンテンツ再生装置。
【請求項３】
前記選択手段は、字幕の言語、ファイル容量、ファイルの更新日、またはファイル名の少なくともいずれかの選択条件に基づいて外部字幕ファイルを選択する請求項２に記載のコンテンツ再生装置。
【請求項４】
前記再生手段は、光ディスクに記録されたコンテンツファイル及び外部字幕ファイルを再生する手段である請求項２または３に記載のコンテンツ再生装置。
【発明の詳細な説明】
【技術分野】
【０００１】
この発明は、記録媒体に記録されたコンテンツファイルを再生するＤｉｖＸプレーヤ及びコンテンツ再生装置に関する。
【背景技術】
【０００２】
ＤＶＤ（ＤＶＤ−Ｖｉｄｅｏ）に記録されたコンテンツデータは、ＭＰＥＧ−２方式で圧縮されており、コンテンツデータが映画等の場合には、映像データの他に、音声データ、字幕データが記録されている。そのため、ＤＶＤ（ＤＶＤ−Ｖｉｄｅｏ）を再生するコンテンツ再生装置では、コンテンツの再生時に出力する音声や画面に表示させる字幕を選択する機能を備えている（特許文献１参照。）。
【特許文献１】特開２０００−１３８８８０号公報
【発明の開示】
【発明が解決しようとする課題】
【０００３】
近時、ＭＰＥＧ−２方式よりもさらに圧縮率の高いＤｉｖＸ（登録商標）方式が開発され、このＤｉｖＸ方式で圧縮されたコンテンツデータが記録されているＣＤやＤＶＤを再生可能なコンテンツ再生装置が開発されている。
【０００４】
ＤｉｖＸ方式のコンテンツデータが記録されたＣＤやＤＶＤには、ＤＶＤ（ＤＶＤ−Ｖｉｄｅｏ）のコンテンツデータと同様、映像データの他に音声データや字幕データが記録されている。また、ＤｉｖＸ方式では、コンテンツデータの本体ファイルに対して、ユーザが作成・編集した字幕情報が入った外部字幕ファイルを添付しておくことが可能である。そのため、ＤｉｖＸ方式に対応したコンテンツ再生装置では、映画等のコンテンツの再生時に、外部字幕ファイルを表示させるように設定しておくことで、この外部字幕をコンテンツの映像に重ね合わせて表示させることができる。
【０００５】
しかしながら、ＤｉｖＸ方式の外部字幕ファイルについては、規格が明確に制定されていない。そのため、ＤｉｖＸファイルと同じ名前で拡張子がｓｕｂ／ｔｘｔ／ｓｓｔ／ｓｍｉ／ｓｒｔ／ａｓｓ／ａｑｔ／ｄａｔ／ａｓｃ／ｄｋｓ／ｌｒｃ／ｖｋｔ／ｓｃｒ／ｍｐｌ／ｓｓａ／・・・等のファイルであれば、外部字幕ファイルとして認識されるので、複数の外部字幕ファイルをコンテンツデータファイル本体に添付することが可能である。そのため、従来のＤｉｖＸ方式に対応したコンテンツ再生装置では、外部字幕ファイルを再生するように設定した場合に、外部字幕ファイルが複数存在すると、どの外部字幕ファイルを選択すれば良いか内容を確認しなければならず、再生する外部字幕ファイルを短時間で決定できないという問題があった。
【０００６】
そこで、本発明は、ユーザがＤｉｖＸ形式のコンテンツデータの再生時に外部字幕を表示させるように設定した場合に、複数の外部字幕ファイルから１つの外部字幕ファイルを選択する手間を軽減することができるＤｉｖＸプレーヤ及びコンテンツ再生装置を提供することを目的とする。
【課題を解決するための手段】
【０００７】
この発明は、上記の課題を解決するための手段として、以下の構成を備えている。
【０００８】
（１）圧縮して記録された映像データを含むコンテンツファイル、及び前記映像データに対応し、編集可能な字幕データを有する外部字幕ファイルを記録媒体から読み出す再生手段と、
前記コンテンツファイルを伸張する伸張手段と、
前記外部字幕ファイルの字幕を、前記伸張手段により伸張された映像データの映像に重ね合わせた合成画像を生成する合成画像生成手段と、を備えたコンテンツ再生装置において、
外部字幕ファイルの選択条件を記憶する記憶手段と、
前記記憶媒体に外部字幕ファイルが複数記録されている場合には、前記記憶手段が記憶する選択条件に基づいて外部ファイルを選択する選択手段と、
を備えたことを特徴とする。
【０００９】
この構成においては、コンテンツファイルと、複数の外部字幕ファイルと、が記録媒体に記録されている場合には、記憶手段が記憶する選択条件に基づいて外部ファイルを選択する。したがって、ユーザは、外部字幕ファイルの内容を確認・選択することなく、外部字幕ファイルを表示させることができる。
【００１０】
（２）前記選択手段は、字幕の言語、ファイル容量、ファイルの更新日、またはファイル名の少なくともいずれかの選択条件に基づいて外部字幕ファイルを選択することを特徴とする。
【００１１】
この構成においては、複数の外部字幕ファイルが記録媒体に記録されている場合、字幕の言語、ファイル容量、ファイルの更新日、またはファイル名の少なくともいずれかの選択条件に基づいて外部字幕ファイルを選択する。したがって、最適な外部字幕ファイルが選択される。
【００１２】
（３）前記再生手段は、光ディスクに記録されたコンテンツファイル及び外部字幕ファイルを再生する手段であることを特徴とする。
【００１３】
この構成においては、コンテンツファイルは、光ディスクに記録されている。したがって、コンピュータ等の外部字幕ファイル編集装置で容易に外部字幕ファイルを編集したり更新したりすることができる。
【発明の効果】
【００１４】
本発明によれば、コンテンツ再生装置は、コンテンツデータの再生時に外部字幕を表示させるように設定したときに、コンテンツデータに複数の外部字幕ファイルが添付されていると、予め設定された選択条件に基づいて、字幕ファイルを選択するので、ユーザは、外部字幕ファイルの内容を確認することなく容易に、最適な外部字幕ファイルを画面上に表示させることができる。
【発明を実施するための最良の形態】
【００１５】
以下、本発明の実施形態に係るコンテンツ再生装置の一例であるＤｉｖＸプレーヤについて説明する。
【００１６】
図１は、ＤｉｖＸプレーヤの概略構成を示すブロック図である。ＤｉｖＸプレーヤ１は、モニタ２に接続されており、モータ３、光ディスク再生部４、映像／音声分離部５、ビデオデコーダ６、ＯＳＤ処理部７、オーディオデコーダ８、操作部１０、リモコン信号受信部１１、記憶部１２、及び制御部１３を備えている。また、ビデオデコーダ６及びオーディオデコーダ８の出力端子は、モニタ２に接続されている。
【００１７】
ＣＤ１５には、映画等のコンテンツファイルであるＤｉｖＸファイルと、ユーザ等がコンテンツ用に作成・編集した外部字幕ファイルが記録されている。ＣＤ１５に記録されている外部字幕ファイルは、コンピュータ等の外部字幕ファイル編集装置で作成・編集・更新等を行うことができる。ユーザは、例えばＤｉｖＸファイルに含まれる字幕に所望の言語の字幕が無い場合等に、所望の言語の字幕を作成したり入手したりして、外部字幕ファイルとしてＤｉｖＸファイルに添付することができる。また、外部字幕ファイルは、ＤｉｖＸファイル（拡張子はａｖｉ）と同じ名前で、拡張子がｓｕｂ／ｔｘｔ／ｓｓｔ／ｓｍｉ／ｓｒｔ／ａｓｓ／ａｑｔ／ｄａｔ／ａｓｃ／ｄｋｓ／ｌｒｃ／ｖｋｔ／ｓｃｒ／ｍｐｌ／ｓｓａ／・・・等のファイルであれば良いので、ユーザは、複数の外部字幕ファイルをＤｉｖＸファイルに添付することが可能である。
【００１８】
なお、ＤｉｖＸプレーヤ１は、ＣＤだけでなく、ＤＶＤ、ＢＤ、ＨＤ−ＤＶＤ等の記録媒体に記録されたＤｉｖＸファイルや外部字幕ファイルを読み出すことができる。
【００１９】
光ディスク再生部４は、モータ３によって所定の速度で回転されているＣＤ１５にレーザ光を照射して、記録されているＤｉｖＸファイル（コンテンツデータファイル）や外部字幕ファイルを読み出す。
【００２０】
映像／音声分離部５は、光ディスク再生部４から出力されたコンテンツデータファイル（ＤｉｖＸファイル）を、ビデオ（映像）データとオーディオデータに分離する。そして、映像／音声分離部５は、分離したビデオデータをビデオデコーダ６へ、オーディオデータをオーディオデコーダ８へ、それぞれ出力する。また、映像／音声分離部５は、外部字幕ファイルをＯＳＤ処理部７へ出力する。
【００２１】
ビデオデコーダ６は、映像／音声分離部５が出力した映像信号を伸張（デコード）して、ＯＳＤ処理部７に出力する。
【００２２】
ＯＳＤ処理部７は、ＯＳＤ画像メモリ７Ｍを内蔵している。ＯＳＤ画像メモリ７Ｍは、外部字幕ファイルの字幕データを記憶する。ＯＳＤ処理部７は、制御部１３から与えられる制御信号に基づいて、ＯＳＤ画像メモリ７Ｍから字幕データを読み出して、その字幕データを映像信号に重畳した合成画像を生成する。そして、モニタ２にこの合成画像を出力する。
【００２３】
オーディオデコーダ８は、映像／音声分離部５が出力した音声信号を伸張（デコード）して、モニタ２に出力する。
【００２４】
操作部１０及びリモコン１４は、ユーザがＤｉｖＸプレーヤ１の操作を行うためのものである。
【００２５】
リモコン信号受信部１１は、リモコン１４から出力された信号（赤外線）を受信する。リモコン信号受信部１１は、電源のＯＮ／ＯＦＦ、コンテンツファイルの選択等の命令が入力されると、リモコン１４からの命令信号を受信して制御部１３に伝送する。
【００２６】
記憶部１２は、不揮発性のメモリからなり、記憶内容を更新可能である。記憶部１２は、例えば半導体メモリやハードディスクから構成され、外部字幕ファイルの選択条件等、各種の設定値を記憶する。
【００２７】
制御部１３は、ＤｉｖＸプレーヤ１の各部を制御する。制御部１３は、例えばマイクロコンピュータで構成される。また、制御部１３は、制御プログラムを格納するＲＯＭ１３ａと、制御プログラム等を展開するワークフィールドとしてのＲＡＭ１３ｂと、を有する。制御部１３は、映像／音声分離部５で分離されたデータから外部字幕ファイルの情報を取り出して、どの外部字幕ファイルを再生するかの判定を行う。
【００２８】
ＤｉｖＸプレーヤ１は、ＣＤ１５をモータ３により回転駆動する。そして、ＣＤ１５に記録されているＤｉｖＸファイルのデータ、及び外部字幕ファイルデータを、光ディスク再生部４から読み出して、映像／音声分離部５でビデオ（映像）データとオーディオデータに分離する。そして、分離したデータをそれぞれビデオデコーダ６及びオーディオデコーダ８で伸張して、モニタ２に出力する。ＤｉｖＸプレーヤ１は、ＤｉｖＸファイルが有している字幕（内部字幕）を表示するように設定されている場合には、コンテンツの映像に内部字幕を重ね合わせた合成画像を生成する。また、ＤｉｖＸプレーヤ１は、外部字幕ファイルを表示するように設定されている場合には、コンテンツの映像に外部字幕を重ね合わせた合成画像を生成する。
【００２９】
次に、ＤｉｖＸプレーヤ１でＤｉｖＸ方式のファイルと外部字幕ファイルを再生する場合の動作について説明する。ＤｉｖＸプレーヤ１では、外部字幕ファイルを読み出すように設定された場合には、以下の条件に基づいて外部字幕ファイルを選択する。
【００３０】
（１）字幕の優先言語
ＤｉｖＸプレーヤ１では、ＤｉｖＸ方式のファイルの再生時に表示させる字幕について、優先的に表示させる言語を予め設定しておくことができる。ユーザは、例えば日本語を優先して表示させる言語に設定しておくことで、表示させる字幕が、コンテンツファイルに含まれる字幕であっても、外部字幕ファイルであっても、その設定された言語を優先して表示させることができる。但し、この優先言語に該当する字幕が無い場合や、外部字幕ファイルのヘッダに言語を判別する項目が無い場合には、別の条件で字幕ファイルを決定する。
【００３１】
（２）ファイル容量
ＤｉｖＸプレーヤ１では、上記（１）の条件で外部字幕ファイルを１つに絞り込めなかったときには、残りの外部字幕ファイルにおいて、最も情報量が多い字幕ファイルを選択する。但し、最も情報量が多い字幕ファイルと他の字幕ファイルとの容量差をチェックして、容量差が一定値以下の場合には、この判定は行わずに別の条件により字幕ファイルを決定する。
【００３２】
（３）更新日時
ＤｉｖＸプレーヤ１では、上記（１）〜（２）の条件で外部字幕ファイルを１つに絞り込めなかったときには、残りの外部字幕ファイルについて、更新された日時をチェックし、更新日時が最新の字幕ファイルを選択する。但し、更新日時が最新の字幕ファイル及び他の字幕ファイルについて、更新日時を確認し、その差が一定期間以下の場合には、この判定は行わずに、別の条件により字幕ファイルを決定する。
【００３３】
（４）ファイル名
ＤｉｖＸプレーヤ１では、以上の（１）〜（３）の条件で外部字幕ファイルを１つに絞り込めなかった場合には、ファイル名を昇順に並べた場合の先頭のファイル、つまり、ＤｉｖＸファイルと同じ名前で、拡張子が昇順に並べたときに先頭のファイルを選択する。
【００３４】
次に、ＤｉｖＸプレーヤ１の動作をフローチャートに基づいて説明する。図２は、ＤｉｖＸプレーヤの動作を説明するためのフローチャートである。
【００３５】
ＤｉｖＸプレーヤ１は、コンテンツファイルの再生時に外部字幕ファイルを表示するように設定され、また、字幕ファイル選択言語（優先字幕言語）として日本語が設定されている場合には、以下のように動作する。
【００３６】
まず、制御部１３は、光ディスク再生部４を制御して、ＣＤ１５にコンテンツファイルとともに記録されている外部字幕ファイルの数量を確認する（ｓ１）。制御部１３は、外部字幕ファイルが１つの場合には（ｓ２）、その外部字幕ファイルを選択して、コンテンツデータファイル（ＤｉｖＸファイル）の画像に重ね合わせて表示するように設定する（ｓ３）。そして、ＤｉｖＸファイルの映像に外部字幕を重ね合わせて再生する（ｓ４）。
【００３７】
一方、制御部１３は、ステップｓ２において外部字幕ファイルが複数あった場合には、優先字幕言語である日本語の外部字幕ファイルの有無を確認する（ｓ５）。制御部１３は、日本語の外部字幕ファイルが１つの場合には（ｓ６）、その外部字幕ファイルをコンテンツデータファイル（ＤｉｖＸファイル）の画像に重ね合わせて表示するように設定する（ｓ３）。そして、ＤｉｖＸファイルの映像に外部字幕を重ね合わせて再生する（ｓ４）。
【００３８】
また、制御部１３は、ステップｓ６において日本語の外部字幕ファイルが複数あった場合、及び外部字幕ファイルのヘッダに言語を判別する項目が無く記載されている言語が判別できない場合には、次のステップに進む。すなわち、制御部１３は、各外部字幕ファイルの容量を確認して、ファイル容量が最大の外部字幕ファイルと、ファイル容量が２番目の外部字幕ファイルと、の容量差が一例として、１キロバイト以上であるか否かを確認する（ｓ７）。制御部１３は、ファイル容量差が１キロバイト以上である場合には（ｓ８）、そのファイルが最も書き込みがされているファイルであるとして、その最大容量の外部字幕ファイルを選択して、コンテンツデータファイル（ＤｉｖＸファイル）の画像に重ね合わせて表示するように設定する（ｓ３）。そして、ＤｉｖＸファイルの映像に外部字幕を重ね合わせて再生する（ｓ４）。
【００３９】
一方、制御部１３は、ステップｓ８において、ファイル容量差が１キロバイト未満の場合には、次のステップに進む。すなわち、制御部１３は、各外部字幕ファイルの更新日時を確認して、更新日時が最新の外部字幕ファイルと、更新日時が２番目に新しい外部字幕ファイルと、の更新日時の差が一例として、１日以上であるか否かを確認する（ｓ９）。制御部１３は、ファイルの更新日時の差が１日以上である場合には（ｓ１０）、そのファイルが最新の書き込みファイルであるとして、その更新日時が最新の外部字幕ファイルを選択して、コンテンツデータファイル（ＤｉｖＸファイル）の画像に重ね合わせて表示するように設定する（ｓ３）。そして、ＤｉｖＸファイルの映像に外部字幕を重ね合わせて再生する（ｓ４）。
【００４０】
これに対して、制御部１３は、ステップｓ１０において、ファイルの更新日時の差が１日未満の場合には、次のステップに進む。すなわち、制御部１３は、各外部字幕ファイル名を昇順に並べた場合の先頭のファイル、つまり、ＤｉｖＸファイルと同じ名前で、拡張子が昇順に並べたときに先頭のファイルを選択する。そして、制御部１３は、この選択した外部字幕ファイルを、コンテンツデータファイル（ＤｉｖＸファイル）の画像に重ね合わせて表示するように設定する（ｓ１１）。続いて、ＤｉｖＸファイルの映像に外部字幕を重ね合わせて再生する（ｓ４）。
【００４１】
以上のように、本発明のＤｉｖＸプレーヤでは、コンテンツファイル（ＤｉｖＸファイル）とともに再生する外部字幕ファイルを予め設定した条件に基づいて選択するので、外部字幕ファイルが複数あった場合でも短時間で外部字幕ファイルを選択できる。
【図面の簡単な説明】
【００４２】
【図１】ＤｉｖＸプレーヤの概略構成を示すブロック図である。
【図２】ＤｉｖＸプレーヤの動作を説明するためのフローチャートである。
【符号の説明】
【００４３】
１−ＤｉｖＸプレーヤ    ２−モニタ    ３−モータ    ４−光ディスク再生部    ６−ビデオデコーダ    ７−ＯＳＤ処理部    ７Ｍ−ＯＳＤ画像メモリ    ８−オーディオデコーダ    １０−操作部    １１−リモコン信号受信部    １２−記憶部    １３ｂ−ＲＡＭ    １３ａ−ＲＯＭ    １３−制御部    １４−リモコン    １５−ＣＤ
【図１】
2007324668.tif 000003
【図２】
2007324668.tif 000004